(57)【要約】      （修正有）【課題】出口が常に露出されることを防いで異物が内部に流入することを遮断することができ、塗布ティップを用いて中身を伝達するとともに、皮膚のマッサージが行え、出口が塗布ティップの上面に露出されていないことから、中身の汚染を防ぎ、且つ、塗布ティップの上面を清潔な状態に保ち易い液体吐出容器を提供する。【解決手段】中身を排出するポンプと、下降によりポンプを作動させる塗布ティップ３０と、塗布ティップの下降に際して塗布ティップの上方に露出され、塗布ティップの上面に向かって中身を排出する出口が設けられるノズル４０と、を含み、出口は、塗布ティップの上昇により密閉される。【選択図】図７
2019156489.tif 000002
【特許請求の範囲】
【請求項１】
中身を排出するポンプと、
下降により前記ポンプを作動させる塗布ティップと、
前記塗布ティップの下降に際して前記塗布ティップの上方に露出され、前記塗布ティップの上面に向かって中身を排出する出口が設けられるノズルと、を含み、
前記出口は、前記塗布ティップの上昇により密閉されることを特徴とする液体吐出容器。
【請求項２】
前記塗布ティップは、 
上面が前記出口から遠ざかるにつれて下方への傾斜が徐々に大きくなる傾斜面であることを特徴とする請求項１に記載の液体吐出容器。
【請求項３】
前記塗布ティップは、 
上面が前記出口から遠ざかるにつれて上方への傾斜が徐々に大きくなる傾斜面であることを特徴とする請求項１に記載の液体吐出容器。
【請求項４】
前記塗布ティップは、
下側に設けられて塗布ティップの下降のために指を置くためのボタン部を含むことを特徴とする請求項１に記載の液体吐出容器。
【請求項５】
前記塗布ティップは、
金属又はセラミック材質を含むことを特徴とする請求項１に記載の液体吐出容器。
【請求項６】
塗布ティップとノズルとの間に配置されて前記ノズルの相対的な昇降を導くガイド壁を含むことを特徴とする請求項１に記載の液体吐出容器。
【請求項７】
前記ガイド壁またはガイド壁に面する前記ノズルの片面のうちのいずれか一方にはガイド溝が設けられ、他方にはガイド突起が設けられて、前記ガイド壁によりノズルの相対的な昇降が導かれることを特徴とする請求項６に記載の液体吐出容器。
【請求項８】
中身を貯留し、一方の側が開放された容器本体と、
前記容器本体の開放された一方の側に係合され、ノズルが連結され、前記塗布ティップが昇降自在に載置されるショルダー部と、を更に含むことを特徴とする請求項１に記載の液体吐出容器。
【請求項９】
前記ポンプは、
前記容器本体の開放された一方の側に係合されるハウジングと、
前記ハウジング内において昇降し、一方の側に設けられた流入口を有する中空状のステムと、
前記ハウジングの内壁に密着され、前記流入口を開閉するシールキャップと、
前記塗布ティップの下降によりステムを下降させる昇降部と、を含むことを特徴とする請求項８に記載の液体吐出容器。
【請求項１０】
前記昇降部は、前記塗布ティップに嵌入するティップ係合部を有し、
前記塗布ティップは、１次的な下降に際して前記ノズルの前記出口が外部に露出され、２次的な下降に際して前記昇降部を押して前記ステムを下降させることを特徴とする請求項９に記載の液体吐出容器。
【請求項１１】
前記昇降部とステムとの間に設けられ、シールキャップを下降させる中空状のシャフトを更に含むことを特徴とする請求項９に記載の液体吐出容器。
【請求項１２】
前記ノズルは、内部において中身を伝達し、先端に前記出口が設けられる流路を有し、
前記流路は、前記流入口の開閉によって前記ハウジングの内部と連通または隔離されることを特徴とする請求項９に記載の液体吐出容器。
【発明の詳細な説明】
【技術分野】
【０００１】
本発明は、液体吐出容器に係り、更に詳しくは、出口を有するノズルが塗布ティップに対して昇降するように設けられて塗布ティップの使用に当たってノズルを介して異物が流入して中身が汚染されることを防ぐことのできる液体吐出容器に関する。
【背景技術】
【０００２】
一般に、化粧品や薬品などの物質は、用途や成分、粘度などに応じて様々な形態の容器に入れられて販売可能である。例えば、液状であり、しかも、粘度が高い物質の場合、チューブ容器やポンプ容器などに入れられて販売される。
【０００３】
このとき、チューブ容器には出口が設けられ、使用者は、チューブ容器を手で圧縮して出口から少量の中身が吐き出されるようにした後、吐き出された中身を適正な使用部位に伝達する方式で用いることができる。
【０００４】
これに対し、 ポンプ容器にも出口が設けられてもよく、使用者は、ポンプ容器に設けられたボタンを押下して出口から中身が吐き出されるようにした後、吐き出された中身を消費することになる。
【０００５】
これとは異なり、チューブ容器やポンプ容器の出口それ自体が使用部位に直接的に接触するような形態を有することもあるが、例えば、容器の出口に塗布ティップが設けられており、使用者は、中身が吐き出された状態の塗布ティップを使用部位にこすって中身を伝達することができる。
【０００６】
このとき、塗布ティップは、中身の使用目的、機能などに応じて様々な材質により作製可能であるが、例えば、塗布ティップは、合成樹脂により作製されてもよく、ソフトな手触りを実現するためにゴムなどにより作製されてもよく、冷感が伝達可能な金属材質により作製されてもよい。
【０００７】
ところが、塗布ティップを有する従来の容器は、塗布ティップの上面に出口が形成されているため、塗布ティップを使用部位にこする過程で出口を介してむしろ異物が内部に流入してしまう可能性がある。
【０００８】
すなわち、上述した容器は、中身を手に取る必要がないというメリットがあるとはいえ、むしろ塗布ティップの上面に露出された出口により中身が汚染されてしまう可能性を有しているという問題があった。
【先行技術文献】
【特許文献】
【０００９】
【特許文献１】大韓民国登録特許第１０−１１０３１８８号公告（２０１１年１２月２９日付け登録）
【発明の概要】
【発明が解決しようとする課題】
【００１０】
本発明は、上述した従来の技術の問題を解消するために案出されたものであり、その目的は、塗布ティップより相対的に高く上昇したり、相対的に低く下降したりするノズルに出口を設けて、出口が常に露出されることを防いで異物が内部に流入することを遮断することのできる液体吐出容器を提供することである。
【００１１】
また、本発明の他の目的は、塗布ティップを用いて中身を伝達するとともに、皮膚のマッサージが行え、出口が塗布ティップの上面に露出されていないことから、中身の汚染を防ぎ、且つ、塗布ティップの上面を清潔な状態に保ち易い液体吐出容器を提供することである。
【課題を解決するための手段】
【００１２】
本発明の一局面に係る液体吐出容器は、中身を排出するポンプと、下降により前記ポンプを作動させる塗布ティップと、前記塗布ティップの下降に際して前記塗布ティップの上方に露出され、前記塗布ティップの上面に向かって中身を排出する出口が設けられるノズルと、を含み、前記出口は、前記塗布ティップの上昇により密閉されることを特徴とする
具体的に、前記塗布ティップは、 上面が前記出口から遠ざかるにつれて下方への傾斜が徐々に大きくなる傾斜面であってもよい。
【００１３】
具体的に、前記塗布ティップは、 上面が前記出口から遠ざかるにつれて上方への傾斜が徐々に大きくなる傾斜面であってもよい。
【００１４】
具体的に、前記塗布ティップは、下側に設けられて塗布ティップの下降のために指を置くためのボタン部を含んでいてもよい。
【００１５】
具体的に、前記塗布ティップは、金属又はセラミック材質を含んでいてもよい。
【００１６】
具体的に、 塗布ティップとノズルとの間に配置されて前記ノズルの相対的な昇降を導くガイド壁を含んでいてもよい。
【００１７】
具体的に、前記ガイド壁またはガイド壁に面する前記ノズルの片面のうちのいずれか一方にはガイド溝が設けられ、他方にはガイド突起が設けられて、前記ガイド壁によりノズルの相対的な昇降が導かれてもよい。
【００１８】
具体的に、中身を貯留し、一方の側が開放された容器本体と、前記容器本体の開放された一方の側に係合され、ノズルが連結され、前記塗布ティップが昇降自在に載置されるショルダー部と、を更に含んでいてもよい。
【００１９】
具体的に、前記ポンプは、前記容器本体の開放された一方の側に係合されるハウジングと、前記ハウジング内において昇降し、一方の側に設けられた流入口を有する中空状のステムと、前記ハウジングの内壁に密着され、前記流入口を開閉するシールキャップと、前記塗布ティップの下降によりステムを下降させる昇降部と、を含んでいてもよい。
【００２０】
具体的に、前記昇降部は、前記塗布ティップに嵌入するティップ係合部を有し、前記塗布ティップは、１次的な下降に際して前記ノズルの前記出口が外部に露出され、２次的な下降に際して前記昇降部を押して前記ステムを下降させてもよい。
【００２１】
具体的に、前記昇降部とステムとの間に設けられ、シールキャップを下降させる中空状のシャフトを更に含んでいてもよい。
【００２２】
具体的に、前記ノズルは、内部において中身を伝達し、先端に前記出口が設けられる流路を有し、前記流路は、前記流入口の開閉によって前記ハウジングの内部と連通または隔離されてもよい。
【発明の効果】
【００２３】
本発明に係る液体吐出容器は、塗布ティップを備えて中身が使用部位に直接的に伝達されるようにしながらも、出口が塗布ティップの上面ではなく、塗布ティップより相対的に高く上昇したり相対的に低く下降したりするノズルに設けられるようにして、たとえ塗布ティップを使用部位にこすったとしても、出口を介して異物などが流入することを完璧に遮断することができる。
【００２４】
また、本発明に係る液体吐出容器は、塗布ティップ及びノズルの相対的な昇降運動により出口が密閉された状態に保たれるので、別途の蓋体を覆い被せなかった状態又は蓋体が予期せずに脱離された状態であっても中身の漏れを防いで使用者の満足度を高めることができる。
【図面の簡単な説明】
【００２５】
【図１】本発明の一実施形態に係る液体吐出容器の斜視図である。
【図２】本発明の一実施形態に係る液体吐出容器の分解斜視図である。
【図３】本発明の一実施形態に係る液体吐出容器の断面図である。
【図４】本発明の一実施形態に係る液体吐出容器の色々なタイプを示す正面図である。
【図５】本発明の一実施形態に係る液体吐出容器の出口が開放された状態を示す図である。
【図６】本発明の一実施形態に係る液体吐出容器の出口が開放された状態の断面図である。
【図７】本発明の他の実施形態に係る液体吐出容器の斜視図である。
【図８】本発明の他の実施形態に係る液体吐出容器の色々なタイプを示す正面図である。
【図９】本発明の他の実施形態に係る液体吐出容器の色々なタイプを示す斜視図である。
【図１０】本発明の他の実施形態に係る液体吐出容器の分解斜視図である。
【図１１】本発明の他の実施形態に係る液体吐出容器の部分分解斜視図である。
【図１２】本発明の他の実施形態に係る液体吐出容器の色々なタイプを示す断面図である。
【図１３】本発明の他の実施形態に係る液体吐出容器の使用様子を示す断面図である。
【図１４】本発明の他の実施形態に係る液体吐出容器の使用様子を示す断面図である。
【図１５】本発明の他の実施形態に係る液体吐出容器の使用様子を示す断面図である。
【図１６】本発明の他の実施形態に係る液体吐出容器の使用様子を示す断面図である。
【発明を実施するための形態】
【００２６】
本発明の目的、特定の長所及び新規な特徴は、添付図面と結び付けて行う以下の詳細な説明及び好適な実施形態からなお一層明らかになるであろう。本明細書において、各図面の構成要素に参照番号を付するに当たって、同じ構成要素に限っては、たとえ異なる図面の上に表示されているとしても、できる限り同じ番号を付していることに留意すべきである。なお、本発明について説明するに当たって、関連する公知の技術についての具体的な説明が本発明の要旨を余計に曖昧にする虞があると認められる場合にはそれについての詳細な説明を省略する。
【００２７】
以下、添付図面に基づいて、本発明の好適な実施形態について詳細に説明する。参考までに、本明細書における中身（内容物）は、化粧品や薬品などであって、いうまでもなく、圧縮やポンピングなどにより排出可能なあらゆる物質を網羅する。
【００２８】
また、本明細書において、たとえ異なる実施形態の構成要素が図面符号を共有するとしても、必ずしも同じ形態や構造を有するとは限らないということに留意すべきである。なお、本明細書において、上昇又は下降は、絶対的な動きに加えて、他の構成要素に比べて相対的な動きを網羅する意味として用いられる。
【００２９】
図１は、本発明の一実施形態に係る液体吐出容器の斜視図であり、図２は、本発明の一実施形態に係る液体吐出容器の分解斜視図であり、図３は、本発明の一実施形態に係る液体吐出容器の断面図である。
【００３０】
以下、図１から図３に基づいて、本発明の一実施形態に係る液体吐出容器について詳細に説明する。
【００３１】
本発明の一実施形態に係る液体吐出容器１は、容器本体１０と、ショルダー部２０と、塗布ティップ３０及びノズル４０を含む。
【００３２】
容器本体１０は、中身を貯留する構成要素であって、一方の側が開放されていてもよい。容器本体１０に貯留される中身は、上述したように、その種類や成分などを問わない。但し、中身は、ノズル４０を介して排出されるときに塗布ティップ３０の上面から外れることなく安定的に載置可能なように、高粘度の性質を有してもよい。
【００３３】
容器本体１０は、中身を収容する構成要素であって、容器本体１０としては、チューブ（ｔｕｂｅ）、瓶（ｂｏｔｔｌｅ）、トトル（ｔｏｔｔｌｅ）、ペンシル（ｐｅｎｃｉｌ）など多種多様な形態が挙げられる。容器本体１０は、外力により圧縮されて中身を一方の側に排出してもよく、本発明の一実施形態においては、チューブ容器を例にとって説明しているが、外力が加えられれば一方の側を介して中身が排出可能である限り、あらゆる形態のものが採用可能である。
【００３４】
容器本体１０の開放された一方の側には注ぎ口部１１が設けられていてもよく、注ぎ口部１１は、容器本体１０の一方の側にショルダー部２０を係合するために設けられていてもよい。この場合、注ぎ口部１１は、内側に中身を外部に排出するための開口１１１が形成されており、注ぎ口部１１の開口１１１にショルダー部２０が係合されて、中身は、注ぎ口部１１の開口１１１に係合されたショルダー部２０を介して外部に抜け出ることが可能になる。
【００３５】
注ぎ口部１１の外側には、ねじ山１１２が設けられていてもよい。注ぎ口部１１の外側のねじ山１１２は、後述する蓋体５０の係合のために設けられるものであるが、容器本体１０及び蓋体５０間の係合方式として螺合方式を除く方式を採用する場合、ねじ山１１２は省略可能である。
【００３６】
ショルダー部２０は、容器本体１０の開放された一方の側に係合され、塗布ティップ３０が載置されてもよい。ショルダー部２０は、注ぎ口部１１の開口１１１に嵌入して容器本体１０の開放された一方の側を密閉してもよく、ショルダー部２０の下側には開口１１１の内壁に密着されるスリーブ（符号なし）が延びていてもよい。
【００３７】
ショルダー部２０の上側には突出部２１が設けられ、突出部２１には塗布ティップ３０が係合されてもよい。突出部２１は、ショルダー部２０を基準として塗布ティップ３０が強固に係合されているように構成されるが、いうまでもなく、塗布ティップ３０がショルダー部２０に接着、一体製作などの方法により係合される場合には突出部２１は省略可能である。
【００３８】
ショルダー部２０の下側には排出部２２が設けられていてもよい。排出部２２は、ショルダー部２０から容器本体１０の内部に向かって延びる構成要素であり、中空の管状に設けられていてもよい。排出部２２の内部にはノズル４０が昇降自在に嵌入してもよい。
【００３９】
排出部２２において容器本体１０の内部に面する片面である下面には、排出口２２１が形成される。排出口２２１は、ノズル４０により開閉されてもよく、開放の際にノズル４０の流路４１を介して中身を外部に伝達する。すなわち、排出部２２は、容器本体１０の内部をノズル４０の流路４１に連結してもよい。
【００４０】
但し、このとき、開閉とは、排出口２２１それ自体を直接的に開閉することに加えて、排出口２２１とノズル４０の流路４１との間が連通されたり、排出口２２１とノズル４０の流路４１との間の連通が遮断されたりすることを意味する。
【００４１】
排出部２２は、下面の中心に設けられた突起２２２を備えていてもよく、排出口２２１は、突起２２２の周りに放射状に設けられていてもよい。このとき、後述するが、ノズル４０の弁部４４が突起２２２に嵌り込まれれば弁部４４の内部が排出口２２１と隔離され、逆に、ノズル４０の弁部４４が突起２２２から抜き外されれば弁部４４の内部が排出口２２１と連通される。
【００４２】
すなわち、排出部２２は、弁部４４の昇降により排出口２２１とノズル４０の流路４１との間を開閉してもよい。このような排出口２２１には、容器本体１０の内部の底面に向かって吸入管（図示せず）が連結されていてもよい。
【００４３】
ガイド部２３は、ショルダー部２０の上側に設けられていてもよく、後述する塗布ティップ３０とノズル４０との間に載置されてもよい。ガイド部２３は、塗布ティップ３０を基準として昇降するノズル４０を導いて、ノズル４０の揺れを防ぎ、ノズル４０と塗布ティップ３０との間の間隔を保って余計な騒音の発生を抑えることができる。
【００４４】
ガイド部２３としては、ノズル４０の安定的な昇降のために、ノズル４０と噛み合う構造のものを採用してもよい。すなわち、後述するノズル４０にはガイド部２３の両側を把持する把持部（符号なし）が設けられて、ノズル４０の昇降に際して把持部がガイド部２３を間に挟んで上下に動いている。このため、本発明は、ガイド部２３によりノズル４０の昇降過程においてノズル４０が左右などの方向に余計に動くことを防ぐことができる。
【００４５】
塗布ティップ３０は、中身を使用部位に伝達する。このとき、使用部位は皮膚であり、ここで、皮膚とは、頭皮、唇などの身体部位を網羅する意味として使用可能である。
【００４６】
塗布ティップ３０は、塗布面３１に中身が置かれるようにした状態で塗布面３１を使用部位にこすって中身が伝達されるようにしてもよく、このとき、塗布面３１は、塗布ティップ３０の上面であってもよい。塗布面３１を使用部位にマッサージすることにより、中身を密着して皮膚に伝達することができ、皮膚の血行を改善することができるというメリットがある。また、皮膚の損傷又は物理的な衝撃などにより引き起こされる痛症の緩和にも役立つ。更に、化粧品の塗布及びマッサージが同時に行われるので、化粧品の吸収が促され、塗布面の材質に応じて、冷気又は温気を皮膚に伝達することができる。
【００４７】
上面は傾斜面であってもよく、例えば、図示の如く、ノズル４０の出口４１１から遠ざかるにつれて下方への傾斜が徐々に大きくなる傾斜面であってもよい。この場合、ノズル４０の出口４１１から吐き出される中身は塗布ティップ３０の上面に置かれ、時間が経つにつれて、傾斜面状の上面に沿って流下することがあるが、これは、中身の粘度などによる。
【００４８】
塗布ティップ３０は、ソフトな手触りを与えるために軟質な材質により作製されてもよく、合成樹脂、ゴム、シリコンなどの材質により作製されてもよい。
【００４９】
あるいは、塗布ティップ３０は、加熱又は冷却されてもよく、所定の時間の間に加熱又は冷却された状態が保てる材質により作製されてもよい。例えば、金属又はセラミック材質により作製されてもよく、衛生性を担保するために、ステンレス系の金属により作製されてもよい。いうまでもなく、塗布ティップ３０の材質としては、中身の成分や用途、機能などに応じて様々なものが採用可能である。 塗布ティップ３０は、金属またはセラミック成分の一部を含有する材質であってもよい。
【００５０】
塗布ティップ３０は、合成樹脂、ゴム、シリコン、金属、セラミックの一部を含有する材質であってもよく、これらの混合物であってもよい。
【００５１】
また、塗布ティップ３０の一部が合成樹脂、ゴム、シリコン、金属、セラミック材質を含んでいてもよい。
【００５２】
本発明は、塗布ティップ３０の上面に出口４１１が設けられるわけではなく、塗布ティップ３０の上面よりも高い個所に位置する出口４１１を介して塗布ティップ３０の上面に中身を伝達する方式を採用している。
【００５３】
この場合、塗布ティップ３０の上面は、付着している中身や異物などを手軽に拭き取ることができるので、きれいであり、しかも、衛生的な状態が保たれるというメリットがあり、これにより、使用者の満足度を確保することができる。
【００５４】
塗布ティップ３０は、ショルダー部２０に係合されていてもよく、ショルダー部２０の突出部２１に嵌め込まれるように内側が窪んでいてもよい。塗布ティップ３０及び突出部２１間の係合方式としては、締まり嵌め、突起の溝への嵌合などの方式が採用可能であり、塗布ティップ３０及びショルダー部２０を一体に製作（射出、二重射出など）することも可能である。
【００５５】
図４を参照すると、塗布ティップ３０は、様々な形状を呈してもよい。例えば、塗布ティップ３０は、図４の（Ａ）に示すように、ノズル４０の反対側が張り出した出っ張り部を有する形状を呈してもよく、図４の（Ｂ）に示すように、出っ張り部を有さない形状を呈してもよい。
【００５６】
あるいは、 図４の（Ｃ）や（Ｄ）に示すように、塗布ティップ３０の形状は自由に変形可能であり、たとえ形状が一定ではないとしても、いずれも適正な面積の塗布面３１を確保して使いやすさを保証することができる。
【００５７】
以下、ノズル４０については、図５及び図６に基づいて説明する。
【００５８】
図５は、本発明の一実施形態に係る液体吐出容器の出口が開放された状態を示す図であり、図６は、本発明の一実施形態に係る液体吐出容器の出口が開放された状態の断面図である。
【００５９】
ノズル４０は、外力により塗布ティップ３０の上方に突出し、塗布ティップ３０の上面に向かって中身を排出する出口４１１が設けられる。従来の場合には、常に開放されている出口４１１を介して中身を吐き出すことにより、逆に出口４１１を介して内部に異物が入り込んで中身が汚染されてしまう可能性があったが、本発明においては、昇降するノズル４０を用いて、出口４１１が必要に応じて外部に露出されるようにしている。
【００６０】
ノズル４０は、塗布ティップ３０の下方に動いて出口４１１が密閉されるようにしてもよい。すなわち、ノズル４０が上昇すれば出口４１１が露出され、ノズル４０が下降すれば出口４１１が隠蔽される。このとき、出口４１１は、塗布ティップ３０又はガイド部２３により隠蔽されて密閉されてもよい。
【００６１】
ノズル４０には、外力による上昇が手軽に行われるように取っ手４２が設けられていてもよい。取っ手４２は、ノズル４０の上側から外側に向かって突設されてもよく、ノズル４０の上昇を補助する。取っ手４２は、容器の形状などに応じて、ノズル４０の上昇を補助し易い個所に形成されてもよい。
【００６２】
すなわち、使用者は、ノズル４０を持ち上げて、図５に示すように、出口４１１を開放された状態にしてもよいが、このとき、使用者は、指をノズル４０の取っ手４２に引っ掛けて指で手軽にノズル４０を上方に向かって引っ張ってもよい。
【００６３】
また、ノズル４０は、外面に設けられて指を置くための陥凹部４３を含んでいてもよい。これにより、ノズル４０の取っ手４２に指が引っ掛かるようにしながら、ノズル４０に指が安定的に置かれるようにして、小さな力を入れてもノズル４０の上昇、すなわち、出口４１１の開放を行うことができる。
【００６４】
逆に、出口４１１の密閉は、ノズル４０の上面を押し付けるだけで行われるので、大きな力を必要としない。したがって、使用者は、ノズル４０の下降を指で行うことができ、使用部位を用いてノズル４０を下降させることができる。
【００６５】
ノズル４０は、内部において中身を伝達し、先端に出口４１１が設けられる流路４１を有していてもよい。すなわち、ノズル４０は、内部に流路４１が形成された中空状を呈し、流路４１に沿って流れる中身は、出口４１１を介して塗布面３１に伝達される。
【００６６】
流路４１は、図面を基準として上下方向に延び、出口４１１は、塗布面３１に向かって左右方向に延びるため、流路４１は、ノズル４０の上側において少なくとも１回折れ曲がったり撓んだりする形状を呈してもよい。
【００６７】
流路４１は、上側に比べて下側の方が拡張された形状を呈してもよいが、このとき、流路４１の下側には弁部４４が嵌め込まれてもよい。弁部４４は、昇降により容器本体１０の内部と流路４１との間を開閉する。
【００６８】
弁部４４は、中空状を呈してノズル４０の下側に連結されたり、ノズル４０と一体に製作されてもよく、ノズル４０が下降したときに排出部２２の突起２２２に嵌め込まれて容器本体１０の内部と流路４１とを隔離させる。
【００６９】
これに対し、ノズル４０が上昇したとき、これにつれて弁部４４も上昇できるように弁部４４には係止部４４１が設けられ、ノズル４０の内部は係止部４４１の下降を制限するように設けられてもよい。
【００７０】
したがって、ノズル４０の上昇により弁部４４は上昇して排出部２２の突起２２２から抜き外されて上方に離れながら、排出口２２１を介して容器本体１０の内部と流路４１とが互いに連通されるようにしてもよく、弁部４４は、上端に流路４１と連結される貫通口４４２が配備されていてもよい。
【００７１】
このため、ノズル４０が上昇した状態で使用者が容器本体１０を押し付けると、容器本体１０が流路４１と連通された状態であるので、中身は、排出口２２１と、弁部４４の貫通口４４２及び流路４１を介して出口４１１に抜け出ることができる。
【００７２】
以下、図６に基づいて、本発明の実施形態に係る液体吐出容器の使い方について詳細に説明する。
【００７３】
図６を参照すると、使用者は、ノズル４０の取っ手４２及び／又は陥凹部４３を用いてノズル４０を引き上げることができる。この場合、塗布ティップ３０により隠蔽されていたノズル４０の出口４１１は、塗布ティップ３０から係脱されながら外部に露出される。
【００７４】
露出されたノズル４０の出口４１１は、塗布面３１の上側に位置する。また、ノズル４０を上昇させると、これにつれて、ノズル４０の弁部４４も上昇し、弁部４４の内部は、ショルダー部２０の排出口２２１と連通されてもよい。
【００７５】
このとき、使用者が容器本体１０を押し付ける方式を用いて中身が排出口２２１に抜け出るようにすれば、中身は、弁部４４の内部と貫通口４４２、ノズル４０の流路４１を経て出口４１１を介して排出されながら塗布面３１に伝達される。
【００７６】
次いで、使用者は、ノズル４０を指などで下降させて出口４１１を再び密閉させた後、塗布面３１に置かれた中身を用いて塗布ティップ３０を使用部位に接触させながら中身を使用することができる。このとき、ノズル４０が塗布ティップ３０の接触を妨げないように、下降位置に置かれたノズル４０の上面は、塗布面３１へとスムーズにつながる。
【００７７】
このように、本実施形態においては、塗布ティップ３０ではなく、上昇するノズル４０に中身の出口４１１を設けて、塗布面３１を清潔な状態に保つことができ、出口４１１が密閉可能であるので、中身の漏出を防ぎ、貯留されている中身に異物が流入するという問題を解消することができる。
【００７８】
本実施形態に係る液体吐出容器１は、蓋体５０を更に含んでいてもよい。蓋体５０は、塗布ティップ３０及びノズル４０を外部から保護することができ、特に、ノズル４０が下降した状態を保つことにより、出口４１１を密閉状態に保つことができる。
【００７９】
蓋体５０は、注ぎ口部１１のねじ山１１２と噛み合うように内側にねじ山５１が設けられていてもよいが、上述したように、蓋体５０及び容器本体１０の締結構造としては、ねじ山１１２、５１に加えて、様々な締結構造が採用可能である。
【００８０】
図７は、本発明の他の実施形態に係る液体吐出容器の斜視図であり、図８は、本発明の他の実施形態に係る液体吐出容器の色々なタイプを示す正面図であり、図９は、本発明の他の実施形態に係る液体吐出容器の色々なタイプを示す斜視図である。以下では、本実施形態と上述した一実施形態との間の相違点に重点をおいて説明を行い、これらの間の重複部分についての説明は省略する。
【００８１】
図７から図９を参照すると、本実施形態に係る液体吐出容器は、ノズル４０の上昇により出口４１１が開放される上述した実施形態とは異なり、塗布ティップ３０の下降により出口４１１が開放されてもよい。すなわち、本実施形態の塗布ティップ３０は、下降によりノズル４０の出口４１１が露出されるようにする。
【００８２】
このとき、塗布ティップ３０は、図８及び図９の（Ａ）、（Ｂ）に示すように、塗布面３１としての上面が出口４１１から遠ざかるにつれて下方への傾斜が徐々に大きくなる傾斜面であるか、又は、図８及び図９の（Ｃ）に示すように、上面が出口４１１から遠ざかるにつれて上方への傾斜が徐々に大きくなる傾斜面である。
【００８３】
後者の場合、たとえ中身の粘度が低いとしても、上面により出口４１１の吐出方向が隠蔽されるので、中身の排出過程において中身が上面から外れてしまうことが防がれる。
【００８４】
塗布ティップ３０は、下側に設けられて塗布ティップ３０の下降のために指を置くためのボタン部３２を有していてもよい。このとき、ボタン部３２は、塗布面３１との係合のために突出部３２１を備えていてもよく、突出部３２１は、上述したショルダー部２０及びノズル４０間の係合に用いられる突出部２２と同様であることが好ましい。
【００８５】
ボタン部３２の具体的な構造については、図１０に基づいて説明する。
【００８６】
図１０は、本発明の他の実施形態に係る液体吐出容器の分解斜視図である。
【００８７】
図１０を参照すると、ボタン部３２にはガイド壁３２２が設けられていてもよいが、ガイド壁３２２は、塗布ティップ３０とノズル４０との間に配置されてノズル４０の相対的な昇降を導く。本実施形態は、ノズル４０ではなく、塗布ティップ３０が下降する構造を有しているが、塗布ティップ３０の下降に際して塗布ティップ３０を基準としてノズル４０は上昇し、ガイド壁３２２は、このようなノズル４０の相対的な上昇や下降を導くことができる。
【００８８】
ガイド壁３２２及びガイド壁３２２に面するノズル４０の片面のうちのいずれか一方にはガイド溝３２３が設けられ、他方にはガイド突起４５が設けられていてもよい。例えば、同図に示すように、ガイド壁３２２にはガイド溝３２３が配設され、ノズル４０にはガイド突起４５が突出していてもよい。
【００８９】
このとき、ガイド溝３２３にガイド突起４５が嵌入して、ガイド壁３２２によりノズル４０の相対的な昇降が導かれてもよい。ガイド突起４５は、ガイド溝３２３から抜脱しないようにＴ字状の断面を有していてもよい。
【００９０】
これにより、ノズル４０及び塗布ティップ３０の相対的な昇降が安定的に行われ、且つ、ボタン部３２の安定的な下降がノズル４０の収容部により行われる。
【００９１】
ノズル４０は、ボタン部３２の下側を囲む収容部を備えていてもよく、収容部は、ボタン部３２を収容部内において安定的に下降させるとともに、ボタン部３２の下降を制限してもよい。
【００９２】
すなわち、ボタン部３２は、所定の深さだけ押下されれば、外側の部分が収容部に引っ掛かりながら下降が阻止されてもよい。ボタン部３２の下降を阻止する収容部の形態により、後述するポンプ６０のポンピングストロークが決定されてもよい。
【００９３】
ノズル４０は、塗布ティップ３０の下降に際して塗布ティップ３０の上方に露出され、塗布ティップ３０の上面に向かって中身を排出する出口４１１が設けられる。ノズル４０は、塗布ティップ３０の下降により出口４１１が開放されるようにし、逆に、塗布ティップ３０の上昇により出口４１１が密閉されるようにしてもよい。
【００９４】
ノズル４０は、上述したように、ボタン部３２の下降を導くためにガイド突起４５を備えていてもよく、且つ、ボタン部３２を取り囲む収容口４６が設けられてボタン部３２の下降を導きながらもボタン部３２の下降を制限してもよい。
【００９５】
また、ノズル４０は、一実施形態とは異なり、ショルダー部２０と一体に設けられてもよい。すなわち、本実施形態において、ショルダー部２０は、容器本体１０の開放された一方の側に係合され、ノズル４０が連結され、塗布ティップ３０が昇降自在に載置されてもよい。
【００９６】
いうまでもなく、ショルダー部２０は、容器本体１０に係合され、ノズル４０は、下降自在に設けられる。この場合、塗布ティップ３０の１次的な下降によりノズル４０の出口４１１が外部に露出された状態で、ボタン部３２を更に押下して塗布ティップ３０の２次的な下降が行われれば、ノズル４０もまた塗布ティップ３０と一緒に下降することができる。
【００９７】
本実施形態においては、上述した実施形態に比べて、ポンプ６０を更に含む。本実施形態は、容器本体１０を自ら押し付けるわけではなく、ポンプ６０を用いて中身の排出を行うことができ、塗布ティップ３０は、下降によりポンプ６０が作動可能である。ポンプ６０については、図１１及び図１２に基づいて詳細に説明する。
【００９８】
図１１は、本発明の他の実施形態に係る液体吐出容器の部分分解斜視図であり、図１２は、本発明の他の実施形態に係る液体吐出容器の色々なタイプを示す断面図である。
【００９９】
図１１及び図１２を参照すると、ポンプ６０は、中身を排出し、容器係合部６１、ハウジング６２、ステム６３、シールキャップ６４、シャフト６５、アンダーキャップ６６、昇降部６７を含む。
【０１００】
容器係合部６１は、容器本体１０の注ぎ口部１１に係合されてハウジング６２を固定するための構成要素であり、容器係合部６１は、注ぎ口部１１を取り囲みながらショルダー部２０の内側に係合されてもよい。
【０１０１】
容器係合部６１と注ぎ口部１１、ショルダー部２０、ハウジング６２との間の係合方式としては、締まり嵌めや突起の溝への嵌合などが採用可能であるが、係合方式は特に限定されない。但し、容器係合部６１は、ハウジング６２を容器本体１０に対して所定の位置に固定し、容器係合部６１の内側においてステム６３及びシャフト６５が昇降可能なように導くことができる。
【０１０２】
容器係合部６１には、後述するシャフト６５に対して上方への付勢力を与える付勢部材（図示せず）が設けられていてもよい。付勢部材は、バネなどであって、付勢部材の下端は容器係合部６１に上側の凹溝（符号なし）に載置され、付勢部材の上端はシャフト６５の下側の凹溝（符号なし）に載置されて、ボタン部３２を押下する力が消去されれば自然にシャフト６５が上昇しながら塗布ティップ３０が元の状態に戻る。
【０１０３】
ハウジング６２は、容器本体１０の開放された一方の側に係合される。ハウジング６２は、容器本体１０の内部に面する下面に入口（符号なし）が設けられ、入口には逆止め弁６２１が置かれていてもよい。
【０１０４】
ハウジング６２は、シールキャップ６４の下降により内圧が上がってハウジング６２の内部の中身がノズル４０を介して抜け出るようにし、逆に、シールキャップ６４の上昇により内圧が下がって容器本体１０の内部の中身が流入するようにしてもよい。この詳細については、後述する。
【０１０５】
ステム６３は、ハウジング６２内において昇降し、一方の側に設けられた流入口６３１を有する。ステム６３は、中空状を呈し、ステム６３の内部は、一方の側に設けられた流入口６３１と連結されていてもよい。
【０１０６】
ステム６３の流入口６３１の周りにはシールキャップ６４が設けられ、ステム６３を基準としてシールキャップ６４の上昇により流入口６３１が開放されてステム６３の内部がハウジング６２の内部と連通可能になる。
【０１０７】
シールキャップ６４は、ハウジング６２の内壁に密着されれば流入口６３１を開閉する。シールキャップ６４は、ハウジング６２の内壁との摩擦力により、塗布ティップ３０がボタン部３２により下降し、ステム６３もまた下降する過程において下降しないことにより、ステム６３に対して上昇して流入口６３１を開放することができる。
【０１０８】
逆に、付勢部材によりシャフト６５が上昇する場合、シャフト６５に連結されたステム６３が上昇するが、シールキャップ６４は、ハウジング６２の内壁に対する摩擦力により上昇しないことにより、ステム６３に対して下降して、流入口６３１を密閉することができる。
【０１０９】
シャフト６５は、ステム６３と一体に昇降するように設けられてシールキャップ６４を下降させる。シャフト６５は、ステム６３と後述する昇降部６７との間に介装されてもよく、例えば、ステム６３と後述するアンダーキャップ６６との間に介装されてもよい。
【０１１０】
シャフト６５は、ボタン部３２が押下されれば下降する構成要素であって、ステム６３と係合されて、シャフト６５の下降はステム６３の下降につながる。なお、シャフト６５の下端は、シールキャップ６４を下方に押し付けてもよい。
【０１１１】
シャフト６５には、付勢部材の載置のための下側の凹溝を有する環枠６５１が設けられ、シャフト６５は、付勢部材により上方への付勢力を受けているため、ボタン部３２の押下を解除すればシャフト６５は付勢部材の付勢力により上昇する。
【０１１２】
本発明は、ステム６３及びシャフト６５を別途の構成要素として備えているが、これは、シャフト６５の下端の外径がシールキャップ６４の内径よりも大きいため、シールキャップ６４をステム６３に嵌め込んだ後、シャフト６５をステム６３に係合する方式を用いて組み立てるためである。
【０１１３】
アンダーキャップ６６は、シャフト６５と昇降部６７とを連結する。アンダーキャップ６６は、突起の溝への嵌合方式などを用いて昇降部６７及びシャフト６５に係合してもよく、アンダーキャップ６６の上面に沿って中身が拡散されながらノズル４０の流路４１に流入してもよい。
【０１１４】
昇降部６７は、塗布ティップ３０の下降によりステム６３を下降させる。昇降部６７は、塗布ティップ３０に嵌入するティップ係合部６７１を有し、ティップ係合部６７１を基準として塗布ティップ３０は昇降可能であり、ティップ係合部６７１には、ボタン部３２を押し上げる付勢部材（図示せず）が設けられていてもよい。
【０１１５】
このため、塗布ティップ３０は、１次的な下降に際して昇降部６７を下降させることなく、但し、ノズル４０に対して下降しながらノズル４０の出口４１１が外部に露出されるようにしてもよく、次いで、２次的な下降に際して昇降部６７を押しながらステム６３を下降させてもよい。
【０１１６】
昇降部６７は、ノズル４０に嵌入するノズル嵌入部６７２を有し、ノズル嵌入部６７２の周りには内管部６７３及び外管部６７４が設けられる。ノズル４０は、ショルダー部２０と一体に設けられるとともに、下降しないのに対し、昇降部６７は、塗布ティップ３０の２次的な下降により下降するので、ノズル嵌入部６７２は、ノズル４０を基準として下降することができる。
【０１１７】
このとき、昇降部６７とノズル４０との間に中身が漏れることを防ぐために、ノズル嵌入部６７２には、上側が拡径されながら流路４１の内面に密着された内管部６７３と、内管部６７３に対して上下に摺動する外管部６７４と、が配設されてもよい。
【０１１８】
例えば、昇降部６７が下降すれば、内管部６７３は流路４１の内面との摩擦力によりまるでテレスコーピック構造のようにノズル嵌入部６７２及び／又は外管部６７４に対して上昇することができ、したがって、中身は、ノズル嵌入部６７２を経て流路４１に流入するだけであり、昇降部６７とショルダー部２０との間の隙間などに抜け出ることができなくなる。
【０１１９】
いうまでもなく、漏液が防止可能である限り、ノズル嵌入部６７２と内管部６７３及び外管部６７４の構造に加えて、様々な構造が採用可能である。すなわち、内管部６７３又は外管部６７４などは省略可能である。
【０１２０】
以下では、図１３から図１６に基づいて、本実施形態に係る液体吐出容器の使い方について詳細に説明する。
【０１２１】
図１３から図１６は、本発明の他の実施形態に係る液体吐出容器の使用様子を示す断面図である。
【０１２２】
図１３を参照すると、使用者が指などでボタン部３２を押下する場合、ティップ係合部６７１に設けられた付勢部材が圧縮されながら塗布ティップ３０は１次的に下降するが、昇降部６７は下降しない。
【０１２３】
但し、このとき、ノズル４０の出口４１１は、塗布ティップ３０の上面の上に露出されるため、中身を塗布面３１に伝達する準備が終わった状態であるといえる。しかしながら、依然としてノズル４０の流路４１は流入口６３１が密閉されているため、ハウジング６２の内部と隔離された状態を保つ。
【０１２４】
図１４を参照すると、ボタン部３２を更に押下すれば、塗布ティップ３０は２次的に下降しながら昇降部６７を下降させ、このとき、昇降部６７に連結されたアンダーキャップ６６、シャフト６５、ステム６３が一体に下降する。但し、シールキャップ６４は摩擦力により下降しないため、ステム６３の流入口６３１は開放されることにより、ハウジング６２の内部と流路４１とが連通される。
【０１２５】
次いで、図１５を参照すると、塗布ティップ３０が更に２次的に下降すれば、シールキャップ６４がシャフト６５の下端により下降して、ハウジング６２の内部の圧力を上げてしまう。このため、ハウジング６２の内部の中身は、ステム６３の流入口６３１を介してステム６３の内部、シャフト６５の内部、アンダーキャップ６６の上面、ノズル嵌入部６７２、流路４１を経て出口４１１に抜け出て塗布面３１に伝達される。
【０１２６】
図１４及び図１５において、ノズル４０は、ショルダー部２０に固定された状態を保っているため、塗布ティップ３０の下降により塗布面３１に比べて出口４１１の高さが大きくなる。但し、中身の粘度などが適切に選択されることにより、塗布面３１よりも上方の高い個所に位置する出口４１１から排出された中身は問題なく塗布面３１に伝達可能である。
【０１２７】
あるいは、上述したように、ノズル４０がショルダー部２０に下降自在に設けられてもよく、この場合、ノズル４０は、昇降部６７に一体に昇降自在に係合されていてもよい。
【０１２８】
図１６を参照すると、ボタン部３２の押下を解除する場合、容器係合部６１とシャフト６５との間の付勢部材によりステム６３などが上昇し、ステム６３を基準として下降したシールキャップ６４は、ステム６３の流入口６３１を閉塞する。
【０１２９】
次いで、ステム６３が更に上昇すれば、ステム６３の下端がシールキャップ６４を押し上げて、ハウジング６２の内部の圧力が下がりながら容器本体１０に貯留された中身がハウジング６２に流入して満たされる。
【０１３０】
このような一連の過程を繰り返し行いながら、本実施形態においては、塗布ティップ３０の下降とあいまって中身をポンピングして、塗布面３１よりも高い個所に位置するノズル４０の出口４１１を介して塗布面３１に中身が載置されるようにすることができる。
【０１３１】
このように、本実施形態においては、塗布ティップ３０の下降によりノズル４０の出口４１１を開放又は密閉することにより、塗布ティップ３０を用いた中身の使い勝手がよくなり、出口４１１の開閉を通じて衛生性などを担保することができる。
【０１３２】
本発明は、前記実施形態のうちの少なくともいずれか一つと公知の技術とが組み合わせられた実施形態及び上記の実施形態を組み合わせた実施形態などをいずれも含む。
【０１３３】
以上、本発明について具体的な実施形態を挙げて詳細に説明したが、これは、本発明を具体的に説明するためのものに過ぎず、本発明はこれに何等限定されるものではなく、本発明の技術的な思想内において当該分野における通常の知識を有する者によりその変形や改良が行えるということは自明であるといえる。
【０１３４】
本発明の単純な変形若しくは変更は、いずれも本発明の領域に属するものであって、本発明の具体的な保護範囲は、添付の特許請求の範囲により明らかになるであろう。
【符号の説明】
【０１３５】
１  液体吐出容器
１０  容器本体
１１  注ぎ口部
１１１  開口
１１２  ねじ山
２０  ショルダー部
２１  突出部
２２  排出部
２２１  排出口
２２２  突起
２３  ガイド部
３０  塗布ティップ
３１  塗布面
３２  ボタン部
３２１  突出部
３２２  ガイド壁
３２３  ガイド溝
４０  ノズル
４１  流路
４１１  出口
４２  取っ手
４３  陥凹部
４４  弁部
４４１  係止部
４４２  貫通口
４５  ガイド突起
４６  収容口
５０  蓋体
５１  ねじ山
６０  ポンプ
６１  容器係合部
６２  ハウジング
６２１  逆止め弁
６３  ステム
６３１  流入口
６４  シールキャップ
６５  シャフト
６５１  環枠
６６  アンダーキャップ
６７  昇降部
６７１  ティップ係合部
６７２  ノズル嵌入部
６７３  内管部
６７４  外管部
【図１】
2019156489.tif 000003
【図２】
2019156489.tif 000004
【図３】
2019156489.tif 000005
【図４】
2019156489.tif 000006
【図５】
2019156489.tif 000007
【図６】
2019156489.tif 000008
【図７】
2019156489.tif 000009
【図８】
2019156489.tif 000010
【図９】
2019156489.tif 000011
【図１０】
2019156489.tif 000012
【図１１】
2019156489.tif 000013
【図１２】
2019156489.tif 000014
【図１３】
2019156489.tif 000015
【図１４】
2019156489.tif 000016
【図１５】
2019156489.tif 000017
【図１６】
2019156489.tif 000018